(57)【要約】【課題】冷凍床材を有する冷凍コンテナにおいて、冷蔵品を収容する相対的に高温の部屋から冷凍品を収容する部屋への熱の移動を可及的に抑制する。【解決手段】コンテナ２に設けられた仕切り１３によって内部が前壁側の前室２Ａと後壁側の後室２Ｂとに区画された冷凍コンテナにおいて、コンテナの底壁は、底面板および該底面板上に等間隔をおいて一体に立設された断面Ｔ字レール状の複数本の支持部からなる冷凍床材４が敷設されて形成されている。そして、冷凍床材４には、長手方向に設定間隔をおいて複数個のスリットｓが形成されており、そのうち、一のスリットｓに、該スリットｓの前後方向の冷気の流通を阻止するとともに、仕切り１３を支持可能な閉止材１２が配置され、また、残りのスリットｓに、該スリットｓの前後方向の冷気の流通を許容する複数個の開口部を有するスペーサが配置されている。【選択図】  図１
2006078013.tif 000002
【特許請求の範囲】
【請求項１】
それぞれ断熱性を有する底壁、天井壁、左右の側壁、前壁および後壁から形成されたコンテナと、コンテナの前壁外面に設けられた冷凍ユニットとからなり、コンテナの内面に沿って移動可能な仕切りを介して内部が前壁側の前室と後壁側の後室とに区画され、また、前記底壁が、底面板および該底面板上に等間隔をおいて一体に立設された断面Ｔ字レール状の複数本の支持部からなる冷凍床材を具備する冷凍コンテナにおいて、前記冷凍床材に長手方向に設定間隔をおいて複数個のスリットが形成される一方、一のスリットに、該スリットの前後方向の冷気の流通を阻止するとともに、仕切りを支持可能な閉止材が配置され、また、残りのスリットに、該スリットの前後方向の冷気の流通を許容する複数個の開口部を有するスペーサが配置されることを特徴とする冷凍コンテナ。
【請求項２】
前記仕切りによって区画された前室が低温側に、後室が高温側にそれぞれ設定され、前室が冷凍ユニットによって冷凍温度に冷却される一方、後室が前室の冷気を後室に導いて冷却されることを特徴とする請求項１記載の冷凍コンテナ。
【発明の詳細な説明】
【技術分野】
【０００１】
この発明は、冷凍コンテナに関するものである。
【背景技術】
【０００２】
一般に、輸送単価を低減するには、輸送機材の積載能力いっぱいの荷物を往復時に確保する必要がある。この場合、温度管理が不要な貨物を輸送するときには、混載によって貨物を確保することができるが、温度管理が必要な貨物を輸送するときには、管理温度が同じという制約が加わるため、混載が非常に困難となる。
【０００３】
このため、冷凍トラックや冷凍コンテナにおいては、荷室を断熱性を有する仕切りで複数の部屋に分割するとともに、貨物量に合わせることができるように、仕切りを可動式とし、さらに、各部屋に庫内機（熱交換器）を配置して個別の温度で温度管理することにより、庫内を複数の温度帯で制御している（例えば、特許文献１，２参照）。
【０００４】
一方、冷凍トラックや冷凍コンテナにおいては、冷気の循環を促進するとともに、載置した貨物の床面移動に際して接触面積を低減して摩擦抵抗を少なくするため、連続した底面板および該底面板上に等間隔をおいて一体に立設された断面Ｔ字レール状の複数本の支持部からなる冷凍床材を断熱材上に敷設した底壁を設けている（例えば、特許文献３参照）。
【特許文献１】特開平１０−５９０５７号公報
【特許文献２】特開平５−２３８３０６号公報
【特許文献３】特開平８−１８９１６９号公報
【発明の開示】
【発明が解決しようとする課題】
【０００５】
ところで、冷凍トラックや冷凍コンテナで冷凍品（−２０℃レベル）と生鮮食料品などの冷蔵品（０℃〜１５℃レベル）とを混載する場合、２室間の温度差が大きいため、高温側の部屋から低温側の部屋へ庫内壁を伝わって大量の熱が移動する。この結果、高温側の部屋が過冷却となったり、低温側の部屋が冷却不足となり、貨物の品質が低下するおそれがある。
【０００６】
この場合、高温側の部屋の過冷却を防止するため、特許文献１，２に記載されているように、エンジンの冷却水や冷凍機の高温冷媒を利用して加熱することが行われているが、冷凍機やエンジンと、庫内とを配管接続する必要があり、構造が複雑となるばかりでなく、配管工事の不具合による冷却水や冷媒の漏洩などの故障が発生し易いという問題がある。このような故障が、冷凍コンテナの無人輸送時、例えば、鉄道輸送時に発生した場合、長時間にわたって対応することができないため、商品価値がなくなるおそれがある。
【０００７】
また、冷凍床材は断面積が大きい上に、通常、熱伝導率の高いアルミの押出成形品が採用されていることから、冷凍床材を通して大量の熱が移動するとともに、冷凍床材による冷気の通路から大量の熱が流通する。このため、仕切りによって庫内を複数の部屋に仕切る場合は、仕切りを冷凍床材の断面形状に合わせて形成し、冷凍床材による冷気の通路を塞ぐ必要があるが、入口が狭く、内部が広いという冷凍床材の断面形状から、仕切りを冷凍床材の断面形状に合わせて形成することは困難であり、冷気の通路を確実に遮閉することはできない。また、仕切りの構造が複雑になって、仕切りの設置作業に手間がかかるという欠点がある。しかも、仮に冷凍床材による冷気の通路を遮蔽したとしても、断面積の大きな冷凍床材を通して大量の熱が移動することは避けられない。
【０００８】
本発明は、このような問題点に鑑みてなされたもので、冷凍床材を有する冷凍コンテナにおいて、冷蔵品を収容する相対的に高温の部屋から冷凍品を収容する部屋への熱の移動を可及的に抑制することができる冷凍コンテナを提供するものである。
【課題を解決するための手段】
【０００９】
本発明は、それぞれ断熱性を有する底壁、天井壁、左右の側壁、前壁および後壁から形成されたコンテナと、コンテナの前壁外面に設けられた冷凍ユニットとからなり、コンテナの内面に沿って移動可能な仕切りを介して内部が前壁側の前室と後壁側の後室とに区画され、また、前記底壁が、底面板および該底面板上に等間隔をおいて一体に立設された断面Ｔ字レール状の複数本の支持部からなる冷凍床材を具備する冷凍コンテナにおいて、前記冷凍床材に長手方向に設定間隔をおいて複数個のスリットが形成される一方、一のスリットに、該スリットの前後方向の冷気の流通を阻止するとともに、仕切りを支持可能な閉止材が配置され、また、残りのスリットに、該スリットの前後方向の冷気の流通を許容する複数個の開口部を有するスペーサが配置されることを特徴とするものである。
【００１０】
本発明によれば、前室となる冷凍床材上に貨物、例えば、冷凍品を積み込んだ後、冷凍床材に形成された各スリットに予め配置されているスペーサのうち、積み込んだ貨物の後端に対応する位置のスリットに配置されたスペーサを抜き出し、代わりに閉止材を配置する。次いで、閉止材上に位置してコンテナ内面に仕切りを固定する一方、後室となる冷凍床材上に貨物、例えば、冷蔵品を積み込み、後壁を閉鎖した後、冷凍ユニットを作動させ、前室を冷凍温度に冷却する一方、後室を冷蔵温度に冷却する。
【００１１】
ここで、冷凍床材は、複数個のスリットによって長手方向に連続することなく切り離されており、大きな断面積の床材を通して高温側から低温側へと前後方向に熱が移動することはない。一方、仕切りの設置位置においては、スリットに配置された閉止材によってスリットの前後方向にわたる冷気の流通が阻止されている。このため、仕切りおよび閉止材によって前室と後室との間で冷気が流通することを阻止することができる。
【００１２】
この結果、前室と後室との間で高温側から低温側へ熱が移動することを抑制することができる。
【００１３】
ただし、閉止材が配置されたスリットを除くスリットにはスペーサが配置され、スペーサを通して前後方向の冷気の流通は許容されており、前室および後室の各室において、それぞれ設定温度の冷気が各別に循環して設定温度に維持されている。
【００１４】
本発明において、前記仕切りによって区画された前室が低温側に、後室が高温側にそれぞれ設定され、前室が冷凍ユニットによって冷凍温度に冷却される一方、後室が前室の冷気を後室に導いて冷却されることが好ましい。
【発明の効果】
【００１５】
本発明によれば、冷凍床材を備えた冷凍コンテナにおいて、冷蔵品を収容する相対的に高温の部屋から冷凍品を収容する部屋への熱の移動を可及的に抑制することができ、各室を設定温度に効率よく維持することができる。
【発明を実施するための最良の形態】
【００１６】
以下、本発明の実施の形態を図面に基づいて説明する。
【００１７】
図１には、本発明の冷凍コンテナ１の一実施形態が示されている。
【００１８】
この冷凍コンテナ１は、それぞれ断熱材を内装した底壁２ａ、天井壁２ｂ、左右の側壁２ｃ、前壁２ｄおよび左右の側壁２ｃに対してそれぞれ開閉自在に軸支された後壁２ｅからなるコンテナ２と、コンテナ２の前壁２ｄの外面に設けられた冷凍ユニット３と、から構成され、コンテナ２の内部空間は、後述する仕切り１３によって前壁２ｄ側の前室２Ａと、後壁２ｅ側の後室２Ｂとに区画されている。
【００１９】
コンテナ２の底壁２ａは、断熱材に冷凍床材４を敷設して形成されている。この冷凍床材４は、底面板４１および該底面板４１上に等間隔をおいて一体に立設された断面Ｔ字レール状の複数本の支持部４２からなり、前壁２ｄおよび後壁２ｅに沿ってそれぞれ敷設された端部床材４Ａと、これらの端部床材４Ａ，４Ａの間に位置して敷設された複数個の単位床材４Ｂとにスリットｓを介して分割されている。例えば、４０フィートコンテナの場合、前壁２ｄおよび後壁２ｅに沿ってそれぞれ敷設された約３ｍの端部床材４Ａと、その間に互いに約６０ｍｍのスリットｓをおいて順に敷設された約４０ｃｍの１１個の単位床材４Ｂとに分割されている。
【００２０】
なお、冷凍床材４がスリットｓを介して切り離されていることによる底壁２ａの強度低下を補うため、図２に示すように、スリットｓを形成した箇所には、断熱材に代えて、木材あるいは樹脂などの断熱ブロック材５がコンテナ底板２ａ’に配設されており、この断熱ブロック材５は、端部床材４Ａとコンテナ底板２ａ’の間および単位床材４Ｂとコンテナ底板２ａ’との間でそれぞれボルトを介して締結されている。また、直接断熱ブロック材５に荷重が作用するのを防止するため、断熱ブロック材５の上面には、冷凍床材４の底面板４１と同等強度の金属製取付プレート４１１がビス止めされている。この場合、取付プレート４１１は、その端面が端部床材４Ａの端面および単位床材４Ｂの端面と接触しないように、スリットｓの長さよりも若干短く形成されるとともに、シール材を介して固定されている。
【００２１】
そして、各スリットｓには、隣接する端部床材４Ａと単位床材４Ｂとの間および隣接する単位床材４Ｂ，４Ｂの間に段差を発生させないように、通常、前後方向に貫通する多数の開口部１１ａを形成したスペーサ１１（図３参照）が配置されている。このため、スペーサ１１は、端部床材４Ａに沿って流れる冷気を隣接する単位床材４Ｂへと流通させることができるとともに、単位床材４Ｂに沿って流れる冷気を隣接する単位床材４Ｂへと流通させることができる。また、貨物を円滑に前後方向に移動させることができる。
【００２２】
一方、後述するように、仕切り１３を固定する場合は、スペーサ１１に代えて閉止材１２が配置される。この閉止材１２は、図４に示すように、木材によって略Ｔ字状に形成されており、スリットｓを通して取付プレート４１１に載置されるとともに、端部床材４Ａと単位床材４Ｂにわたって、あるいは、隣接する単位床材４Ｂ，４Ｂにわたって載置されるようになっている。このため、任意のスリットｓに閉止材１２を配置した際には、該スリットｓにおいて、端部床材４Ａに沿って流れる冷気を隣接する単位床材４Ｂへと流れないように遮断し、また、単位床材４Ｂに沿って流れる冷気を隣接する単位床材４Ｂへと流れないように遮断するものである。
【００２３】
具体的には、前壁２ｄ側の端部床材４Ａおよびその後方の単位床材４Ｂとの間に閉止材１２を配置するとともに、該閉止材１２上に仕切り１３を配置して最小容積の前室２Ａ（最大容積の後室２Ｂ）を形成する場合（図１において一点鎖線状態参照）と、後壁２ｅ側の端部床材４Ａおよびその前方の単位床材４Ｂとの間に閉止材１２を配置するとともに、該閉止材１２上に仕切り１３を配置して最大容積の前室２Ａ（最小容積の後室２Ｂ）を形成する場合（図１において二点鎖線状態参照）と、これらの間において、任意の隣接する単位床材４Ｂ，４Ｂの間に閉止材１２を配置するとともに、該閉止材１２上に仕切り１３を配置して前室２Ａおよび後室２Ｂを形成する場合とを選択することができ、冷凍品の貨物量または冷蔵品の貨物量に対応して前室２Ａと後室２Ｂの容積を変更することができる。
【００２４】
ここで、仕切り１３は断熱性を有し、図５に示すように、コンテナ２の内面形状に略対応する方形状に形成されるとともに、ヒンジシート１３ｅを介して二つ折り可能となっている。そして、仕切り１３には、周囲にシール材１３ａ（図１参照）が配設される一方、その表裏一面に取付金具１３ｃを有する固定ベルト１３ｂが設けられるとともに、表裏両面に複数本のエアリブ１３ｄが設けられて形成されている。
【００２５】
したがって、任意のスリットｓに閉止材１２を配置するとともに、仕切り１３をコンテナ２内に搬入して閉止材１２上に立設した後、コンテナ２の側壁２ｃ内面に配設されたラッシングレールの係止部（図示せず）に取付金具１３ｃを係止し、固定ベルト１３ｂを張設することにより、前壁２ｄ側の端部床材４Ａの後端と、後壁２ｅ側の端部床材４Ａの前端間において、単位床材４Ａの長さ間隔でコンテナ２内の任意の位置に仕切り１３を固定することができる。
【００２６】
この際、仕切り１３は、その周囲に設けたシール材１３ａが、閉止材１２の上面、左右の側壁２ｃの内面および後述する天井壁２ｂに設けた平坦な通気ダクト１４の外面にそれぞれほぼ隙間なく密着するため、閉止材１２と協働して前室２Ａおよび後室２Ｂ間にわたる熱の漏洩を可及的に抑制することができる。しかも、底壁２ａの冷凍床材４は、スリットｓによって前後方向に連続することなく切り離されていることから、冷凍床材４を介して熱が移動することもない。また、エアリブ１３ｄによって貨物との間に空気通路を確保することができ、貨物が仕切り１３に接触して熱が直接貨物に伝わることを防止できる。
【００２７】
一方、コンテナ２の天井壁２ｂの内面には、左右の側壁２ｃの内面間隔に略相当する幅を有し、前壁２ｄ近傍に位置して一端が前室２Ａに開口するとともに、後壁２ｅから一定距離をおいて他端が後室２Ｂに開口する偏平な通気ダクト１４が固定されている。この通気ダクト１４は、内部が幅方向の略中間で隔壁１４ａ（図６参照）によって左右に区画されており、そのうち、後壁２ｅ側から前壁２ｄ側を見て右方の通気路１４Ｒは、前室２Ａの冷気を後室２Ｂに冷気を導くように設定され、また、左方の通気路１４Ｌは、後室２Ｂの冷気を前室２Ａに導くように設定されている。そして、右方の通気路１４Ｒの前壁２ｄ側開口および後壁２ｅ側開口と、左方の通気路１４Ｌの前壁２ｄ側開口および後壁２ｅ側開口には、それぞれシャッター１５が回動自在に設けられている。
【００２８】
ここで、各シャッター１５は、通常、各開口をそれぞれ自重によって閉鎖しており、後述する冷気ファン１７が駆動するとき、各シャッター１５は、自重に抗して回動し、前室２Ａから後室２Ｂに冷気を導くことができ、また、後室２Ｂから前室２Ａに相対的に高温の冷気を導くことができる。例えば、図７に示すように、冷気ファン１７が駆動するとき、シャッター１５が自重に抗してそれぞれ回動し、後壁２ｅ側開口を開放させることができることにより、前室２Ａの冷気を右方の通気路１４Ｒを通して後室２Ｂに導くことができる。
【００２９】
また、天井壁２ｂの後端部には、左右の側壁２ｃの内面間隔に略相当する幅を有し、内部に混合室１６ａを有するとともに、前後に混合室１６ａに連通する開口部を形成した箱状の混合ダクト１６が固定されており、混合ダクト１６の混合室１６ａには、１個の冷気ファン１７と、複数個の循環ファン１８が配設されている。そして、混合ダクト１６の、冷気ファン１７が設けられた混合室１６ａに連通する前方側開口部には、右方の通気路１４Ｒの後壁２ｅ側開口に一端が接続された吸入ダクト１９の他端が接続されている（図８参照）。一方、混合ダクト１６の、循環ファン１８が設けられた混合室１６ａに連通する前方側開口部には、電気ヒーター２０が設けられており、該前方側開口部は、前述した左方の通気路１４Ｌの後壁２ｅ側開口から一定距離をおいて後室２Ｂに開口されている（図６および図９参照）。さらに、混合ダクト１６の後方側開口部は、循環ファン１８が設けられた混合室１６ａのみに対向して形成されており、また、該開口部は、シール材１６ｂを介して後壁２ｅの内面に設けられた、上下方向に延びる空気通路２１に連通されている。
【００３０】
なお、混合ダクト１６の混合室１６ａは、冷気ファン１７および循環ファン１８が配設された吸込側において、冷気ファン１７と循環ファン１８との間が隔壁１６１（図６参照）によって区画されている。このため、前室２Ａの冷気を通気ダクト１４、吸入ダクト１９を経て冷気ファン１７のみに導くことができる。
【００３１】
冷凍ユニット３は、詳細には図示しないが、原動機、例えば、燃料タンクを備えたディーゼルエンジンと、ディーゼルエンジンによって駆動される発電機と、発電機によって発電された電気を利用して駆動される電動コンプレッサーを含む冷凍装置とから構成され、鉄道輸送、船舶輸送、トレーラ輸送など、動力源がない場合においても設定時間にわたって冷凍能力を維持することができるように設計されている。
【００３２】
また、天井壁２ｂの前端部には、冷凍装置の蒸発器と熱交換する熱交換器２２が設けられるとともに、この熱交換器２２によって熱交換された冷気を前室２Ａに供給するファン２３が設けられている。そして、前壁２ｄの内面には、ファン２３によって供給された冷気を下方に導くため、上下方向に延びる空気通路２１が設けられている。
【００３３】
なお、冷凍ユニット３は、図示しない制御装置によって制御されるようになっており、前述した冷気ファン１７、循環ファン１８、電気ヒーター２０およびファン２３は、制御装置と配線接続され、制御装置を介してＯＮ−ＯＦＦ制御される。
【００３４】
次に、このように構成された冷凍コンテナ１の作動について説明する。
【００３５】
まず、集荷地において、冷凍床材４上に貨物（冷凍品）をフォークリフトなどの輸送用機器を利用して積み込む。冷凍品の積み込みが終了すれば、その後端に対応する位置のスペーサ１１をスリットｓから抜き出すとともに、代わりに閉止材１２を配置した後、閉止材１２上に仕切り１３を建て込んでコンテナ２内壁に取り付け、コンテナ２内を前室２Ａと後室２Ｂに区画する。その後、同様に、後室２Ｂとなる冷凍床材４上に貨物（冷蔵品）をフォークリフトなどの輸送用機器を利用して積み込み、後壁２ｅを閉鎖する。
【００３６】
この後、冷凍コンテナ１を配達地に向けて輸送する。具体的には、トレーラを利用して直接配達地にトラック輸送したり、トレーラを利用して貨物駅まで輸送し、目的の貨物駅まで鉄道輸送した後、再び貨物駅から配達地にトラック輸送したり、トレーラを利用して港湾まで輸送し、目的の港湾まで船舶輸送した後、再び港湾から配達地にトラック輸送する。
【００３７】
このような集荷地から配達地に向けて冷凍コンテナ１を輸送する場合は、前室２Ａを冷凍温度に、後室２Ｂを冷蔵温度にそれぞれ制御するための図示しない２温度帯選択スイッチを投入して冷凍ユニット３を作動させておく。
【００３８】
すなわち、２温度帯選択スイッチの投入によってディーゼルエンジンが駆動することにより、発電機が駆動し、発電機にて発電された電気によって冷凍装置の電動コンプレッサーが駆動する。そして、電動コンプレッサーが駆動すれば、冷媒が圧縮されて凝縮器に供給され、凝縮器で冷却されて圧力の高い液体となる。その後、液化した冷媒を膨張弁を経て蒸発器に吹き出させると、液化した冷媒は気化し、気化熱を蒸発器の周囲から奪って冷却する。気体となった冷媒は、電動コンプレッサーに吸い込まれ、再び冷凍サイクルを実行する。
【００３９】
ここで、前室２Ａの空気がファン２３によって吸引され、熱交換器２２で熱交換して冷却された後、前壁２ｄに設けた空気通路２１を経て端部床材４Ａに供給され、端部床材４Ａおよび単位床材４Ｂから上方に向けて吹き出されている。このように、前室２Ａの空気が循環され、前室２Ａの内部を設定温度、例えば、−２０℃を維持するように制御されている。
【００４０】
一方、後室２Ｂにおいては、循環ファン１８が駆動されており、このため、後室２Ｂの空気が循環ファン１８に吸引され、後壁２ｅに設けた空気通路２１を経て端部床材４Ａに供給され、端部床材４Ａおよび単位床材４Ｂから上方に向けて吹き出されている。このように、後室２Ｂの空気が循環され、後室２Ｂの内部を設定温度、例えば、１５℃を維持するように制御されている。
【００４１】
ところで、温度センサ２４（図６参照）によって検出された後室２Ｂの内部温度が、設定温度を一定温度上回るようになると、冷気ファン１７が駆動し、吸入ダクト１９を介して右方の通気路１４Ｒの後壁２ｅ側開口に設けたシャッター１５に吸引力を作用させる。このため、右方の通気路１４Ｒの後壁２ｅ側開口に設けたシャッター１５および前壁２ｄ側開口に設けたシャッター１５をそれぞれ自重に抗して回動させる。したがって、前室２Ａの冷気が通風ダクト１４の右方の通気路１４Ｒおよび吸入ダクト１９を経て混合ブロック１６に吸引され、冷気ファン１７側混合室１６ａから循環ファン１８側混合室１６ａおよび後壁２ｅに設けた空気通路２１を経て端部床材４Ａに供給され、端部床材４Ａおよび単位床材４Ｂから上方に向けて吹き出される。
【００４２】
この際、後室２Ｂの空気が循環ファン１８によって循環していることから、混合ダクト１６の混合室１６ａにおいて、混合ダクト１６に吸引された前室２Ａの冷気と後室２Ｂの冷気とが混合され、徐々に冷却される。
【００４３】
また、冷気ファン１７によって前室２Ａの冷気が後室２Ｂに供給されることから、後室２Ｂには正圧が発生する。このため、左方の通気路１４Ｌのシャッター１５を自重に抗して回動させ、後室２Ｂの空気を左方の通気路１４Ｌを経て前室２Ａに供給する。すなわち、前室２Ａから後室２Ｂに供給した空気は、その容量だけ後室２Ｂから前室２Ａに還流し、常に平衡状態を維持している。
【００４４】
この場合、通風ダクト１４の左方の通風路１４Ｌの前壁２ｄ側開口は、前壁２ｄ近傍に開口されているため、前室２Ａに戻された後室２Ｂの冷気は、直ちにファン２３によって吸引されて熱交換器２２で冷却される。したがって、後室２Ｂから前室２Ａに還流された相対的に高温の冷気が、前室２Ａの貨物（冷凍品）に接触することが防止され、貨物の品質低下を招くことはない。
【００４５】
このように、後室２Ｂの空気が冷却され、設定温度に達すれば、温度センサ２４が温度を検出し、冷気ファン１７の駆動を停止させる。
【００４６】
一方、後室２Ｂに前室２Ａの冷気が導かれることにより、あるいは、後室２Ｂから前室２Ａへの熱の漏洩により、後室２Ｂの温度が設定温度を一定温度以上下回る過冷却の状態になると、冷気ファン１７が駆動しているときには、冷気ファン１７の駆動を停止させるとともに、電気ヒーター２０を作動させ、循環ファン１８を介して後室２Ｂの空気を循環させる際、吸引した空気を電気ヒーター２０によって加熱する。後室２Ｂの空気が加熱され、設定温度に達すれば、電気ヒーター２０の作動を停止させる。
【００４７】
このように、後室２Ｂの温度が設定温度を上回った場合は、冷気ファン１７を駆動させ、前室２Ａの冷気を後室２Ｂに導いて内部を冷却させることにより、また、後室２Ｂの温度が設定温度を下回った場合は、電気ヒーター２０を作動させ、後室２Ｂの空気を加熱して循環させることにより、それぞれ後室２Ｂの内部温度を設定温度に維持するように簡単に制御することができる。しかも、冷凍ユニット３と後室２Ｂとの間にわたって電気配線を敷設すればよく、エンジンの冷却水や高温冷媒を後室２Ｂに配管を介して導く場合に比較して作業を簡単に行うことができるとともに、冷却水や冷媒の漏洩などを考慮する必要がなく、不具合の発生する度合いが少なくなるものである。
【産業上の利用可能性】
【００４８】
以上のように本発明によれば、冷凍コンテナを利用して冷凍品および冷蔵品を混載して輸送効率を向上させる際、各庫内を冷凍品および冷蔵品に対応した二温度帯に確実に、かつ、長期にわたって制御することができ、品質を損なうことなく荷主から荷主に貨物を輸送することが可能となる。
【図面の簡単な説明】
【００４９】
【図１】本発明の冷凍コンテナの一実施形態の概略を示す縦断面図である。
【図２】図１のＸ部を拡大して示す断面図である。
【図３】スペーサを示す斜視図である。
【図４】閉止材を示す斜視図である。
【図５】仕切りの一例を示す斜視図である。
【図６】図１の冷凍コンテナの後端部を一部省略して示す平面図である。
【図７】通気ダクトにおける右方の通気路に設けられたシャッターを示す断面図である。
【図８】混合ダクトの、冷気ファンに対応する位置での縦断面図である。
【図９】混合ダクトの、循環ファンに対応する位置での縦断面図である。
【符号の説明】
【００５０】
１  冷凍コンテナ
２  コンテナ
３  冷凍ユニット
４  冷凍床材
４Ａ  端部床材
４Ｂ  単位床材
１１  スペーサ
１２  閉止材
１３  仕切り
１４  通気ダクト
１６  混合ダクト
１７  冷気ファン
１８  循環ファン
２０  電気ヒーター
２２  熱交換器
２３  ファン
【図１】
2006078013.tif 000003
【図２】
2006078013.tif 000004
【図３】
2006078013.tif 000005
【図４】
2006078013.tif 000006
【図５】
2006078013.tif 000007
【図６】
2006078013.tif 000008
【図７】
2006078013.tif 000009
【図８】
2006078013.tif 000010
【図９】
2006078013.tif 000011